(57)【特許請求の範囲】
【請求項１】
少なくとも２０重量％の量の水、ノニオン性界面活性剤１〜５０重量％、及びＣ８−Ｃ２２−アルキル−ジメチル−ヒドロキシ−エチルアンモニウム化合物又はＣ８−Ｃ２２−アルケニル−ジメチル−ヒドロキシ−エチルアンモニウム化合物から選択されるカチオン性化合物２０〜５０重量％を含むゲル界面活性剤組成物であって、その際、該組成物の粘度が、２０℃において１０，０００ｍＰａ・ｓ以上であり、
その際、該ノニオン性界面活性剤が、Ｃ８−Ｃ１８−アルカノールと、３〜３０モルのエチレン／プロピレンオキシドとの縮合生成物であり、そして、
該組成物が、増粘剤又は硬化剤のいずれも含まない、ゲル界面活性剤組成物。
【請求項２】
前記エチレン／プロピレンオキシドが３〜１５モルである、請求項１に記載の組成物。
【請求項３】
前記エチレン／プロピレンオキシドが３〜１０モルである、請求項１に記載の組成物。
【請求項４】
前記ノニオン性界面活性剤が、１〜４０重量％の量で存在している、請求項１〜３のいずれか一つに記載の組成物。
【請求項５】
前記ノニオン性界面活性剤が、４０．１〜５０重量％の量で存在している、請求項１〜３のいずれか一つに記載の組成物。
【請求項６】
前記カチオン性化合物が、２０〜３０重量％の量で存在している、請求項１〜５いずれか一つに記載の組成物。
【請求項７】
前記カチオン性化合物が、３０．１〜５０重量％の量で存在している、請求項１〜５のいずれか一つに記載の組成物。
【請求項８】
追加的に、一つ又はより多くの両性界面活性剤を０．１〜２０重量％含む、請求項１〜７のいずれか一つに記載の組成物。
【請求項９】
追加的に、更なる添加剤及び補助剤を含む、請求項１〜８のいずれか一つに記載の組成物。
【請求項１０】
追加的に、エチレングリコール、プロピレングリコール、ポリエチレングリコール、及びポリプロピレングリコールの低級アルキルエーテルから選択される一つ又はより多くの溶媒、を含む、請求項１〜９のいずれか一つに記載の組成物。
【請求項１１】
水、ノニオン性界面活性剤、及びＣ８−Ｃ２２−アルキル−ジメチル−ヒドロキシ−エチルアンモニウム化合物又はＣ８−Ｃ２２−アルケニル−ジメチル−ヒドロキシ−エチルアンモニウム化合物からなることを特徴とする、請求項１〜７のいずれか一つに記載の組成物。
【請求項１２】
透明であることを特徴とする、請求項１〜１１のいずれか一つに記載の組成物。
【発明の詳細な説明】
【技術分野】
【０００１】
本発明は、硬質面のクリーニング、衣類及び食器類の洗浄、及び繊維の柔軟化に適しており、家事、公共機関及び／又は産業用途に利用可能なゲル界面活性剤組成物に関する。
【０００２】
現代の洗剤及び清浄剤は、汚れ及び油脂に対して良好な洗浄性、良好な外観、適切な粘性を有していなくてはならない、環境適合性でなくてはならない、そして表面に残滓を残してはならない、といった高度な要求を満たしていなくてはならない。更に、それらは、使用するのが非常に簡単で、洗浄又は清浄作業を行うときに時間と労力を減じるものでなければならない。
【０００３】
本発明は、非常に効率的であること以外に、洗剤及び／又は清浄剤が、使用するのも非常に簡単で、高い性能をもたらす新たな方法を示す、新たな選択肢を提起するものである。
【０００４】
清浄剤及び洗浄剤は、通常、噴霧乾燥された、又は顆粒化された製品及び／又は液剤として提供されているが、ボリュームゾーンが増大し、そして快適な用量に関するその他の可能性について消費者の要望が増大するという新たな傾向の結果、清浄剤及び洗浄剤の新たな形態についての研究がここ数年の間に著しく増加している。そのため、タブレット形、及びその他代わりになる形態が、製造方法の開発及び改善、あるいは新しい組成物及び調合物の開発のいずれかにおいて、多くの研究の目標となっている。そのようなタブレットは、普通、公知の粉末又は顆粒と同じ成分から、タブレット成形補助剤を添加し、その後ある圧縮工程を用いて仕上げられるか、通常界面活性剤系だけを含有するゲルの濃縮化／硬化によって、あるいはさらにＰＶＯＨ（ポリビニルアルコール）のようなポリマーで界面活性剤系をカプセル化することによって製造されている。食器用洗浄剤、クリーナー、又は洗濯用洗浄剤のための多くのタブレットが入手可能であり、それらは、以後、クリーニングタブレット（ｃｌｅａｎｉｎｇ  ｔａｂｌｅｔｓ）と呼ばれ、ハード相として知られる相（圧縮化粉末）と、スムース相（ゲル濃縮化／界面活性剤）との２相からなる。例えば、国際公開第０１／４２４１６号（特許文献１）は、コア成形体と、粒状のプレミックスとの組み合わせからなる多相成形体の製造を開示している。
【０００５】
国際公開第９９／２４５４９号（特許文献２）は、圧縮された固形本体と、その本体の型中に装填された圧縮されていないゼリー状部分とからなる洗浄剤タブレットを記載している。
【先行技術文献】
【特許文献】
【０００６】
【特許文献１】国際公開第０１／４２４１６号
【特許文献２】国際公開第９９／２４５４９号
【特許文献３】欧州特許公開第１１６２２５４Ａ１号
【発明の概要】
【発明が解決しようとする課題】
【０００７】
本発明の目的は、硬質表面のクリーニング、衣類及び食器類の洗浄、及び繊維類の柔軟化に適し、そして家事、公共機関及び／又は産業用途に利用できる、ゲル界面活性剤組成物を提供することである。
【課題を解決するための手段】
【０００８】
本発明は、所定の割合で、Ｃ８−Ｃ２２−アルキル−又はＣ８−Ｃ２２−アルケニル−ジメチル−ヒドロキシ−エチルアンモニウム化合物、及びノニオン性の、特に、ＥＯ度３ＥＯ〜３０ＥＯのエトキシル化された脂肪アルコールの会合から得られ、そして増粘剤や硬化剤系のいずれの添加も必要としないゲル材料に関する。
【０００９】
ゲルの様相（ａｓｐｅｃｔ）は、カチオン性：ノニオン性会合によって得られ、そしてクリーナー、消毒薬ベヒクル、洗濯用洗剤、及び柔軟剤製品において可能な用途を見出すことができる。この特性は、洗浄剤製造業者にとって、洗浄剤タブレット、トイレ用ブロック、ゲル洗剤、及び同様のものを製造するための高度に正確でかつ高価なプロセスを不要にする（ｄｉｓｐｅｎｓｅ）。また、この特性は、増粘剤又は硬化剤系、典型的には高分子ゲル化添加剤、例えば、ポリビニルピロリドン、ポリビニルアルコール、ヒドロキシステアリン酸、及びポリ酢酸の使用を不要にする。更に、審美的に、この材料の様相は、洗浄剤製造者が、消費者に魅力的で、様々な形態の代替案を提案する、革新的な設計を行うのを可能する。開示されているタブレットのほとんどは、溶解時間に伴う機械強度／材料の硬度に対する依存性に関連している。有利なことに、この挙動は、本発明においては観察されない。
【００１０】
これら会合物から生成したゲル材料は、タブレット、ブロック、ブリケット、リングなどとして説明することができ、そしてその溶解時間は、その最終用途を決定することになる、すなわち、同じカチオン：ノニオン比率でもって、トイレ用ブロック（高い溶解時間）として、又は家事をする人によって溶解でき、急速な溶解時間を有するべき“自家製”クリーナー及び／又は消毒薬に使用できるかを決定する。溶解時間は、使用された添加剤の影響を直接受け、そして、使用されるカチオン：ノニオン比率と全体的に相互に関連する。
【００１１】
欧州特許公開第１１６２２５４Ａ１号（特許文献３）中には洗剤組成物が開示されており、これは、水、ノニオン性界面活性剤、及びカチオン性化合物からなる。ノニオン性界面活性剤の含有量は、０．１〜４０％であり、カチオン性化合物の含有量は０．１〜３０％である。これらの組成物は、液状のものとして教示されている。これらの組成物は、ノニオン性化合物及びカチオン性化合物の個々の量が以下で挙げるように選択されるときに、ゲル状のものであることが今や発見された。
【００１２】
本発明は、プラスチック、ガラス質、金属及びガラスのような硬質表面を洗浄するのに適した、ゲル界面活性剤組成物を提供する。これは、衣類及び食器類を洗浄するのにも適している。一般に、このゲル界面活性剤組成物は、水、一つ又はより多くのノニオン性界面活性剤１．０〜５０重量％、Ｃ８−Ｃ２２−アルキル−又はＣ８−Ｃ２２−アルケニル−ジメチル−ヒドロキシ−エチルアンモニウム化合物から選択される一つ又はより多くのカチオン性化合物２０〜５０重量％、及び任意に両性界面活性剤を含んでいる水性組成物である。
【００１３】
特に好ましくは、本発明のゲル界面活性剤組成物は、高い粘性、すなわち、２０℃において１０，０００ｍＰａ・ｓ以上、好ましくは２０℃で２０，０００ｍＰａ・ｓ以上の粘度（Ｂｒｏｏｋｆｉｅｌｄ  Ｖｉｓｃｏｓｉｍｅｔｅｒ  ＲＶ；  Ｓｐｉｎｄｌｅ  Ｎｏ．  ７；  ２０ｒ．ｐ．ｍ．）を有する。とりわけ好ましい本発明のゲル界面活性剤組成物は、定常状態において流動を示さない。
【００１４】
ヒドロキシエチルクアットと、非イオン性界面活性剤の組み合わせによって、驚くほど高い粘度を有する均質なゲルが得られることが見出された。ヒドロキシエチルクアットと組み合わせて使用される非イオン性界面活性剤の構造は、ゲルの硬度、水可溶性、及び温度感応性に影響を及ぼすため、目的に合わせた効果を発揮する、洗浄剤ゲルタブレットの調合を可能にする。それらのゲル界面活性剤組成物は、硬質表面の洗浄、衣類及び食器類の洗浄、繊維類の柔軟化に適しており、そして、家事、公共機関及び産業用途に利用できる。
【００１５】
本発明の好ましい実施形態において、この組成物は、１０重量％以上の水、より好ましくは２０重量％の水、特に好ましくは３０重量％以上の水含む。
【００１６】
本発明のさらに好ましい実施形態において、この組成物は、１０〜７９重量％の水、より好ましくは２０〜７９重量％の水、特に好ましくは３０〜７９重量％の水含む。
【００１７】
この開示された組成物中で使用されるノニオン性の、合成有機洗浄剤は、一般に、飽和又は飽和されていない、末端ヒドロキシル基と、親水性のエチレンオキシド基／プロピレンオキシド基とを含む、有機脂肪族又はアルキル芳香族の、疎水性化合物の縮合生成物である。そのような洗浄剤は、疎水性の有機化合物を、エチレンオキシド／プロピレンオキシド又はそれらの多水和生成物、ポリエチレン／ポリプロピレングリコール、と縮合させることによって容易に調製される。更に、ポリエテンオキシ／ポリプロペンオキシ鎖の長さは、疎水性要素と親水性要素との間で所望のバランスを達成するように調整できる。
【００１８】
満足なノニオン性洗浄剤は、約８〜１８個の炭素原子を含む、飽和されているか又は飽和されていない、直鎖状、又は分岐鎖状の形態の高級アルカノールと、約３〜３０モル、好ましくは３〜１５モル、そしてより好ましくは３〜１０モルのエチレン／プロピレンオキシドとが縮合された、縮合生成物を含む。これらの洗浄剤の例としては、ドデシル、トリデシル、テトラデシル、ヘキサデシルアルカノール及びそれらの混合物と、３〜３０モルのエチレンオキシドとの縮合物、例えば、Ｃ９−Ｃ１１アルカノールと５．７モルのエチレンオキシドとの縮合物、Ｃ８−Ｃ１０アルカノールと５モルのエチレンオキシドとの縮合物、Ｃ１０−Ｃ１４アルカノールと１６モルのエチレンオキシドとの縮合物、及びＣ１０−Ｃ１８アルカノールと２０モルのエチレンオキシドとの縮合物である。
【００１９】
その他の満足なノニオン性洗浄剤は、約６〜１５個の炭素原子を含む、飽和されているか又は飽和されていない、直鎖状、又は分岐鎖状の形態の１モルのアルキルフェノールと、約３〜３０モル、好ましくは３〜１５モル、より好ましくは３〜１０モルのエチレン／プロピレンオキシドとの、ポリエチレン／ポリプロピレンオキシド縮合物である。具体例は、９モルのエチレンオキシドと縮合されたノニルフェノール、１２モルのエチレンオキシドと縮合されたノニルフェノール、１５モルのエチレンオキシドと縮合されたドデシルフェノール、及び１５モルのエチレンオキシドと縮合されたジノニルフェノールである。更に好適な洗浄剤は、Ｃ８−Ｃ１８アルカノールと、全アルキレンオキシド含有量が分子の６０〜８５重量％である、エチレンオキシドとプロピレンオキシドとが５：１〜１：５の範囲内のヘテロ混合物との、水溶性縮合生成物である。そのような洗浄剤の具体例は、５モルのエチレンオキシド及び４モルのプロピレンオキシドの混合物と縮合されたＣ９−Ｃ１１アルカノール、３モルのエチレンオキシド及び２モルのプロピレンオキシドの混合物と縮合されたＣ９−Ｃ１１アルカノール、及びＣ９−Ｃ１１アルカノールと、４モルのエチレンオキシド及び５モルのプロピレンオキシドの混合物との縮合生成物である。
【００２０】
その他のノニオン性洗浄剤は、アルキルジメチルアミンオキシド、ジ−アルキル−メチルアミンオキシド、アルキルアミドプロピル−アミンオキシド、脂肪酸−Ｎ−メチルグルカミド、アルキルポリグルコシド、オキサルキル化（ｏｘａｌｋｙｌａｔｅｄ）脂肪酸、オキサルキル化脂肪酸エステル、及びオキサルキル化アルキルアミンであってよい。それらの化合物のアルキル基及び脂肪酸基は、対応する飽和されていない基で、完全に又は部分的に置き換えられていてもよく、８〜２２個の炭素原子を含むことができ、そして直鎖状又は分岐状であってよい。オキサルキル化（ｏｘａｌｋｙｌａｔｅｄ）とは、好ましくは１〜２０単位のエチレンオキシド又はプロピレンオキシド又はそれらの混合物を含む生成物を意味する。
【００２１】
特許請求の範囲に記載の組成物中のノニオン性界面活性剤又はノニオン性界面活性剤の混合物の量は、１．０〜５０重量％、好ましくは５〜５０重量％である。また、１．０〜４０重量％又は４０．１重量％〜５０重量％のノニオン性界面活性剤を使用することもできる。
【００２２】
カチオン性界面活性剤としては、アルキルジメチル−ヒドロキシエチル−アンモニウムが使用可能である。これらのアンモニウム化合物は、アルキルの代わりにアルケニル基を有するか、あるいは両方の混合物を有してもよい。アルキル基並びにアルケニル基は、８〜２２個の炭素原子を有することができる。それらは、直鎖状又は分岐状であってよい。好ましいアンモニウム化合物は、Ｃ８−Ｃ２２−アルキル−又はアルケニル−ジメチル−ヒドロキシエチル−アンモニウム化合物である。特に好ましいアンモニウム化合物は、Ｃ１２／Ｃ１４−アルキルジメチルヒドロキシエチルアンモニウム化合物である。前述のアンモニウム化合物の全ては、いずれの種類のアニオンを含んでいてもよく、好ましいものは、クロリド、臭素、アセテート、ラクテート、サルフェート又はメトサルフェートである。非常に好ましいアンモニウム化合物は、Ｃ１２／Ｃ１４−アルキルジメチルヒドロキシエチルアンモニウムクロリドである。
【００２３】
特許請求の範囲に記載の組成物は、これらのカチオン性化合物を、２０〜５０重量％、好ましくは２０〜４０重量％の量で含むことができる。また、２０〜３０重量％又は３０．１〜５０重量％のこれらのカチオン性化合物が使用できる。
【００２４】
更に、本発明による組成物は、両性界面活性剤を、０．１〜２０重量％、好ましくは０．２〜１５重量％含むことができる。両性界面活性剤は、アルキルアミドプロピルベタイン類、アルキルジメチルベタイン類、アルキルアンフォアセテート類（ａｌｋｙｌ  ａｍｐｈｏａｃｅｔａｔｅｓ）又は−ジアセテート類であることができる。これらの化合物のアルキル基は、アルケニル基で部分的に又は完全に置換されていてよく、８〜２２個の炭素原子を含むことができ、そして直鎖状又は分岐状であってよい。ポリアルキレングリコール基は、１〜２０のエトキシ及び／又はプロポキシ単位を含んでよい。
【００２５】
意図する使用に応じて、本発明の調合物は、上記の界面活性剤に加えて、慣用的な添加剤及び補助剤を含むことができ、それぞれの具体例は、例えば、溶解時間制御のための添加剤、性能向上のための添加剤、溶媒、ビルダー又は塩類である。
【００２６】
溶解時間制御のために適した添加剤は、グリセリン、糖類、プロピレングリコール、ブチルグリコール、ジ−ブチルグリコール、エチレングリコール、モノ−、ジ−、トリ−、又はテトラ−Ｃ２−Ｃ５アルキレングリコール−プロピレングリコール、イソプロパノール、エタノール、ＰＥＧ−少なくとも４００の分子量を有する、であり、６，０００〜３５，０００の範囲の分子量を有するＰＥＧ類、及びそれらの混合物が最も好ましい。
【００２７】
性能を向上させるのに適した添加剤には、防汚加工ポリマー、染料固着剤、漂白剤系、殺生物剤又はビルダーが包含される。好適な防汚加工ポリマーは、アクリル酸とマレイン酸とのコポリマー（Ｓｏｋａｌａｎ（登録商標）  ＣＰ、ＢＡＳＦ）、ビニルピロリドン、ビニルイミダゾール及びノニオン性モノマーのホモ−及びコポリマー類（Ｓｏｋａｌａｎ  ＨＰ、ＢＡＳＦ）、アクリル酸のホモポリマー（Ｓｏｋａｌａｎ（登録商標）  ＰＡ、ＢＡＳＦ）、ポリエチレンテレフタレート（ＰＥＴ）及びポリオキシエチレンテレフタレート（ＰＯＥＴ）（Ｔｅｘｃａｒｅ（登録商標）ＳＲＮ、Ｃｌａｒｉａｎｔ）であり、使用できる防汚加工ポリマーは、例えば、セルロースエーテル、又は二塩基カルボン酸、及び二つ又はより多くの水酸基を有する反応物をベースとする重縮合物である。使用される二塩基カルボン酸は、典型的にはテレフタル酸である。これらの防汚加工ポリマーは、ノニオン性又はアニオン性であってよい。
【００２８】
本発明の組成物中に組み入れることができる染料固着剤は、ノニオン性又はカチオン性であり、そして以下で説明される。
染料固着剤として使用できる重縮合物は、シアナミドと、アルデヒド、及びアンモニウム塩及び／又はモノアミンとの反応によって得られるもの（例えば、染料固着剤ＤＦ３）、モノアミン及び／又はポリアミンと、エピクロロヒドリンとの反応によって得られるもの（例えば、染料固着剤ＤＦ２及びＤＦ４）、又はポリアミンと、シアナミド及びアミド硫酸との反応によって得られるもの（例えば、染料固着剤ＤＦ１）である。
【００２９】
使用されるモノアミンは、第一、第二及び第三アミンであってよい。それらは、脂肪族アミン、例えば、ジアルキルアミン、特にジメチルアミン、脂環式アミン、例えば、シクロヘキシルアミン、及び芳香族アミン、例えば、アニリンであってよい。しかしながら、使用されるアミンは、同時に、脂肪族、脂環式、及び芳香族置換基を有することもできる。更に、ヘテロ環式化合物、例えばピリジンを使用することも可能である。
【００３０】
“ポリアミン”という用語は、本発明において、例えば、ジアミン類、トリアミン類、テトラアミン類など、及び類似のＮ−アルキルポリアミン類及びＮ，Ｎ−ジアルキルポリアミンも包含する。それらの例とは、エチレンジアミン、プロピレンジアミン、ブチレンジアミン、ペンチレンジアミン、へキシレンジアミン、ジエチレントリアミン、トリエチレンテトラアミン、及び高級ポリアミン類である。特に好ましいポリアミン類は、エチレンジアミン、ジエチレントリアミン、及びジメチルアミノプロピルアミンである。アンモニウム塩は、アンモニアの塩であり、特に、塩化アンモニウム、又は上述のアミン類又はポリアミン類と様々な無機酸又は有機酸との塩類、他の第四アンモニウム塩類である。
【００３１】
シアナミド類は、シアナミド又はジシアナミド類であってよい。
【００３２】
染料固着剤の合成に使用できるアルデヒドは、例えば、脂肪族アルデヒド類、例えばホルムアルデヒド、アセトアルデヒド、プロピオンアルデヒド、ブチルアルデヒド；ジアルデヒド類、例えばグリオキサール；不飽和アルデヒド類、例えば、アクロレイン、クロトンアルデヒド；及び芳香族アルデヒド類、例えば、ベンズアルデヒドである。特に、脂肪族アルデヒド類、殊にホルムアルデヒドが選択される。
【００３３】
使用される染料固着剤は、ジアリルジメチルアンモニウムクロリド（ＤＡＤＭＡＣ）をベースとするホモポリマー及びコポリマー（例えば、染料固着剤ＤＦ５、ＤＦ６及びＤＦ７）であってもよい。
【００３４】
ＤＡＤＭＡＣをベースとするコポリマーは、更なる成分として、その他のビニルモノマー類、例えば、ビニルイミダゾール、ビニルピロリドン、ビニルアルコール、酢酸ビニル、（メタ）アクリル酸／エステル、アクリルアミド、スチレン、スチレンスルホン酸、アクリルアミドメチルプロパンスルホン酸（ＡＭＰＳ）などを含む。ＤＡＤＭＡＣをベースとするホモポリマーは、（Ｃｌａｒｉａｎｔからの）商品名Ｄｏｄｉｇｅｎ（登録商標）３９５４、Ｄｏｄｉｇｅｎ（登録商標）４０３３及びＧｅｎａｍｉｎ  ＰＤＡＣの下で得られる。
【００３５】
漂白剤系、例えば、無機過酸素化合物のような、特に、過酸化水素、及び溶解して水中で過酸化水素を放出する、例えば過ホウ化ナトリウム、及びペルヒドロ化炭酸ナトリウム、及びそれらの混合物のような固体の過酸素化合物、及びそれらの混合物；及び漂白活性剤、例えば、Ｎ−又はＯ−アシル化合物のクラスの物質からのもの、例えば、ポリアシル化アルキレンジアミン、特に、テトラアセチルエチレンジアミン及びテトラアセチルグリコウリル、Ｎ−アシル化ヒダントイン、ヒドラジド、トリアゾール、ヒドロトリアジン、ウラゾール、ジケトピペラジン、スルフリルアミド（ｓｕｌｆｕｒｙｌａｍｉｄｅｓ）及びシアヌレート、及びカルボン酸無水物、特に無水フタル酸および置換された無水マレイン酸、カルボン酸エステル、特に、アセトキシベンゼンスルホン酸ナトリウム、ベンゾイルオキシベンゼンスルホン酸ナトリウム（ＢＯＢＳ）、ノナノイルオキシベンゼンスルホン酸ナトリウム（ＮＯＢＳ）、イソノナノイルオキシ−ベンゼンスルホン酸ナトリウム（ＩＳＯＮＯＢＳ）、及びペンタアセチルグルコースのようなアシル化糖誘導体、及びそれらの混合物。
【００３６】
殺生物剤は、表面上に存在する微生物を殺すか又は除去することによってそれらを低減又は排除する能力を有する公知のいずれかの成分である。ここで有用な殺生物剤には、アルコール類、アルデヒド類、ホルムアルデヒド放出化合物、フェノール類、酸エステルカルバメート類、アミド類、ジベンズアミジン類、ピリジン誘導体、及び関連化合物、アゾール、ヘテロ環式Ｎ，Ｓ化合物、Ｎハロアルキルチオ化合物、活性化ハロゲン原子を有する化合物、表面活性化剤、有機金属化合物、チオシアナート、ビフェニル、トリアジン、酸化剤及びそれらの混合物が包含される。
【００３７】
適当な有機ビルダー及び無機ビルダーは、カルシウムイオンを析出させるか、又はカルシウムイオンと結合して錯体を形成する、中性又は、特に、アルカリ性の塩である。適当な、そして特に環境保護上許容可能なビルダー物質は、例えば、微細な結晶性の、合成含水ゼオライト、好ましくはタイプＮａＡであり、１００〜２００ｍｇの範囲内のＣａＯ／ｇのカルシウム結合能を有し、それらが優先して使用される。ゼオライト及びフィロシリケートは、組成物中に２０重量％までの量で存在することができる。使用できる有機ビルダーは、例えば、アミノカルボン酸、オルガノアミノホスホン酸化合物、及びそれらの混合物からなる群である。酸性であるこれらの化合物は例えば、ホスホン酸又はカルボン酸の官能性を有し、それらの酸性の形態又は適当な対カチオン、例えばアルカリ又はアルカリ金属イオン、アンモニウム、又は置換されたアンモニウムイオン、との錯体／塩として、又はそれらの混合物のいずれかで存在することができる。ここでの使用に適した化合物には、アミノカルボン酸、例えば、エチレンジアミン−Ｎ，Ｎ’−ジコハク酸（ＥＤＤＳ）、エチレンジアミンテトラ酢酸（ＥＤＴＡ）、Ｎ−ヒドロキシエチレンジアミントリ酢酸、ニトリロトリ酢酸（ＮＴＡ）、エチレンジアミンテトラプロピオン酸、エチレンジアミン−Ｎ，Ｎ’−ジグルタミン酸、２−ヒドロキシプロピレンジアミン−Ｎ，Ｎ’−ジコハク酸、トリエチレンテトラアミン六酢酸（ｔｒｉｅｔｈｙｌｅｎｅｔｅｔｒａａｍｉｎｅ  ｈｅｘａｃｅｔｉｃ  ａｃｉｄ）、ジエチレントリアミン五酢酸（ＤＥＴＰＡ）、トランス１，２ジアミノシクロヘキサン−Ｎ，Ｎ，Ｎ’，Ｎ’−四酢酸又はエタノールジグリシンが包含される。ここでの使用に適したその他の化合物は、オルガノアミノホスホン酸、例えば、エチレンジアミンテトラキス（メチレンホスホン酸）、ジエチレントリアミン−Ｎ，Ｎ，Ｎ’，Ｎ”，Ｎ”−ペンタキス（メチレンホスホン酸）（ＤＥＴＭＰ）、１−ヒドロキシエタン１，１−ジホスホン酸（ＨＥＤＰ）又はヒドロキシエタンジメチレンホスホン酸を含む。高分子カルボキレート及びそれらの塩も使用可能である。これらには、例えば、ホモポリマー又はコポリマーのポリアクリレート、ポリメチルアクリレート、及び特に、アクリル酸とマレイン酸とのコポリマー、及びポリビニルピロリドン及びウレタンの塩も包含される。遊離酸に基づいて、ホモポリマーの相対分子量は、一般に、１０００〜１００，０００であり、コポリマーの場合には２０００〜２００，０００、好ましくは５０，０００〜１２０，０００であり、特に、例えば、約１％の糖ポリアリルエーテルで架橋されており、そして、１，０００，０００以上の相対分子量を有する水溶性ポリアクリレートが適している。それらの例は、商品名Ｃａｒｂｏｐｏｌ（登録商標）９４０及び９４１の下で得られるポリマー類である。
【００３８】
本発明の更に好ましい実施形態において、本発明の組成物は、追加的に、一つ又はより多くの溶媒、好ましくはエチレングリコール、プロピレングリコール、ポリエチレングリコール、及びポリプロピレングリコールの低級アルキルエーテルを含む。“低級アルキル”とは、好ましくは、１〜４個の炭素原子を有するアルキル基を意味する。
【００３９】
一般に、追加的に存在する少量の使用濃厚物は、“洗浄補助剤”という用語で要約できる添加剤成分であり、それ故、異なる活性物質の群、例えば、酵素、特にプロテアーゼ、リパーゼ、セルラーゼ、アミラーゼ及びマンナナーゼ；酵素安定剤；保存料；増泡剤；発泡防止剤、例えば、シリコーンオイル又はパラフィン；腐敗防止剤；光学的光沢剤；真珠光沢剤；ＵＶ吸収剤；アルカリ；屈水性化合物（ｈｙｄｒｏｔｒｏｐｉｃ  ｃｏｍｐｏｕｎｄｓ）；酸化防止剤；溶媒；エキステンダー；分散剤；退色防止剤（ｇｒａｙｉｎｇ  ｉｎｈｉｂｉｔｏｒ）；柔軟剤；帯電防止剤；染料及び香料を含む。
【００４０】
適当な酵素は、プロテアーゼ、リパーゼ、アミラーゼ及びそれらの混合物からのものである。それらの割合は、０．２〜１重量％であることができる。酵素は、支持物質に吸着及び／又はコーティング物質中に埋設させることができる。
【００４１】
適当な保存料は、例えば、フェノキシエタノール、ホルムアルデヒド溶液、ペンタンジオール又はソルビン酸である。
【００４２】
適当な真珠光沢剤は、例えば、グリセリンジステアリンエステル、例えば、エチレングリコールジステアレートであるが、脂肪酸モノグリコールエステルである。
【００４３】
適当な塩又はエキステンダーは、例えば、塩化ナトリウム、硫酸ナトリウム、炭酸ナトリウム、ケイ酸ナトリウム（水ガラス）、塩化マグネシウム、又は硫酸マグネシウムである。
【００４４】
本発明の更に好ましい実施形態において、ゲル界面活性剤組成物は、水、非イオン性界面活性剤、及びＣ８−Ｃ２２−アルキル−又はＣ８−Ｃ２２−アルケニル−ジメチル−ヒドロキシ−エチルアンモニウム化合物からなる。
【００４５】
本発明による生成物は、非常に良好な貯蔵安定性及び洗浄性により優れている。特許請求の範囲に記載の組成物は、ゲル形態にあり、好ましくはタブレットとして存在する。
【００４６】
本発明のゲル界面活性剤組成物は、好ましくは透明である。
【発明を実施するための形態】
【００４７】
以下の実施例は、本発明をそれらに限定することなく、本発明をより詳細に示すものである。全ての量は％（ｗ／ｗ）として示されている。
【実施例】
【００４８】
例
0005907729.tif 000002
【００４９】
１〜１０までの組成物を、次のように調製した。ノニオン性成分を３５〜４０℃まで加熱し、それから、第四アンモニウム化合物の水溶液に添加した。続いて、必要な場合には、添加剤を３５〜４０℃で添加した。この混合物を８０〜８５℃に加熱し、そして均質化が完了するまでこの温度で撹拌した。最後に、組成物を適当な鋳型に注入し、そして室温まで冷却した。これらの例に示されるように、組成物の全てはゲル状のものである。
【００５０】
比較例Ａ
0005907729.tif 000003
比較例Ｂ
0005907729.tif 000004
【００５１】
比較例Ａ及びＢを次のように調整した。ノニオン性成分を、３５〜４０℃に加熱し、それから第四アンモニウム化合物に添加した。この混合物を８０〜８５℃まで加熱し、１時間この温度で撹拌した。最後に組成物を適当な鋳型に注入し、そして室温まで冷却した。